(57)【要約】【課題】発光部が配置された長尺状の基板を含む照明装置において、内部コネクタにおける基板との接合部に加わる負荷を低減することである。【解決手段】照明装置１０は、長尺状の基板３１と、基板３１上に配置された発光部と、長手方向の端部に開口を有し、基板３１を長手方向に挿入することにより収容する長尺筒状の筐体１２と、基板１２上に接合により固定された内部コネクタ３５と、筐体の長手方向の端部に固定された外部コネクタ１２ｂと、内部コネクタと外部コネクタとを電気的に接続するリード線３７と、基板上において、外部コネクタと内部コネクタとの間に固定され、リード線の位置を規制するリード規制部材４０とを含む。【選択図】図７
2018142490.tif 000002
【特許請求の範囲】
【請求項１】
長尺状の基板と、
前記基板上に配置された発光部と、
長手方向の端部に開口を有し、前記基板を長手方向に挿入することにより収容する長尺筒状の筐体と、
前記基板上に接合により固定された内部コネクタと、
前記筐体の長手方向の端部に固定された外部コネクタと、
前記内部コネクタと前記外部コネクタとを電気的に接続するリード線と、
前記基板上において、前記外部コネクタと前記内部コネクタとの間に固定され、前記リード線の位置を規制するリード規制部材と、を備える、
照明装置。
【請求項２】
前記外部コネクタは、前記筐体の長手方向端部の開口を塞いだ状態で前記筐体に固定される蓋部を有する、
請求項１に記載の照明装置。
【請求項３】
前記外部コネクタは、前記筐体の内部に向けて突出し、先端に凹部または孔部を有する突起部を有し、
前記凹部または前記孔部は、前記リード線の位置を規制する、
請求項１または請求項２に記載の照明装置。
【請求項４】
前記リード線は、前記筐体の内側面のうち、光出射側の面である第一面により位置が規制されている、
請求項１から請求項３のいずれか１項に記載の照明装置。
【請求項５】
前記リード線は、前記筐体の内側に位置し、前記第一面と交わる第二面により位置が規制されている、
請求項４に記載の照明装置。
【発明の詳細な説明】
【技術分野】
【０００１】
本開示は、照明装置に関する。
【背景技術】
【０００２】
特許文献１には、ＬＥＤ（発行ダイオード）ランプを備える照明装置が開示されている。このＬＥＤランプは、長尺筒状の筐体と、筐体内に配置された複数のＬＥＤモジュールとを含む。各ＬＥＤモジュールは、長尺状の基板に複数のＬＥＤ素子が配置される。複数のＬＥＤモジュールは、外部筐体の内側に長手方向に並んで配置される。筐体の長手方向の一端部には第１口金が取り付けられ、第１口金の給電ピンが、ＬＥＤモジュールを発光させるための電力を外部機器から受けるとされている。
【先行技術文献】
【特許文献】
【０００３】
【特許文献１】特開２０１４−１５４４３５号公報
【発明の概要】
【発明が解決しようとする課題】
【０００４】
照明装置において、複数の発光素子等の発光部を配置した基板を長尺筒状の筐体に長手方向に収容するとともに、その筐体の長手方向の端部に外部コネクタを固定する構成が考えられる。このとき、基板上には、半田付け等の接合により内部コネクタを固定するとともに、その内部コネクタと外部コネクタとをリード線で接続する。このような構成では、外部筐体内のリード線の長さが内部コネクタと外部コネクタとの間隔に比べて大きい場合に、その余った部分が曲がって、その曲げに対する抵抗により、リード線から内部コネクタに対し基板から離す方向に大きな力が加わる場合がある。この場合には、内部コネクタの接合部に大きな負荷が加わる可能性がある。
【０００５】
本開示の目的は、発光部が配置された長尺状の基板を含む照明装置において、内部コネクタにおける基板との接合部に加わる負荷を低減することである。
【課題を解決するための手段】
【０００６】
本開示に係る照明装置は、長尺状の基板と、基板上に配置された発光部と、長手方向の端部に開口を有し、基板を長手方向に挿入することにより収容する長尺筒状の筐体と、基板上に接合により固定された内部コネクタと、筐体の長手方向の端部に固定された外部コネクタと、内部コネクタと外部コネクタとを電気的に接続するリード線と、基板上において、外部コネクタと内部コネクタとの間に固定され、リード線の位置を規制するリード規制部材と、を備える。
【発明の効果】
【０００７】
本開示に係る照明装置によれば、内部コネクタに対し、基板から離す方向の大きな力が加わらないように、リード規制部材によりリード線の位置を規制できるので、内部コネクタにおける基板との接合部に加わる負荷を低減できる。
【図面の簡単な説明】
【０００８】
【図１】本開示の一実施形態である照明装置を一端方向から見た斜視図である。
【図２】図１の照明装置を他端方向から見た斜視図である。
【図３】図１中におけるＡ−Ａ線で切断した斜視図である。
【図４】図１中におけるＢ−Ｂ線断面図である。
【図５】図３に示す一方端部の外部コネクタの拡大斜視図である。
【図６】図３に示す他方端部の外部コネクタの拡大斜視図である。
【図７】（ａ）は、図２中におけるＣ−Ｃ線断面図であり、（ｂ）は、（ａ）のＤ部拡大図である。
【図８】図７に示すリード規制部材を図７の左右方向一方側から見た図である。
【図９】図１に示す照明装置の分解斜視図である。
【図１０】図１の照明装置の組み立て方法において、（ａ）は一方端部の外部コネクタと基板上の内部コネクタとを結線する第１工程を示す断面図であり、（ｂ）は筐体内に、長手方向一端から基板をスライドして挿入する第２工程を示す斜視図である。
【図１１】図１の照明装置の組み立て方法において、（ａ）は筐体の長手方向他端から基板を外側に出した状態で他方端部の外部コネクタを内部コネクタに結線する第３工程を示す断面図であり、（ｂ）は筐体の両端部に２つの外部コネクタを固定する第４工程を示す断面図である。
【図１２】照明装置の比較例において、図１１（ｂ）に対応する図である。
【図１３】実施形態の別例におけるリード規制部材を示す図である。
【図１４】実施形態の別例の照明装置において、図４に対応する図である。
【発明を実施するための形態】
【０００９】
以下に、本開示に係る実施の形態について添付図面を参照しながら詳細に説明する。この説明において、具体的な形状、材料、数値、方向等は、本開示の理解を容易にするための例示であって、照明装置の仕様に合わせて適宜変更することができる。また、以下において複数の実施形態や変形例などが含まれる場合、それらの特徴部分を適宜に組み合わせて用いることは当初から想定されている。以下では、すべての図面において同様の要素には同一の符号を付して説明する。
【００１０】
図１は、本開示の一実施形態である照明装置１０を一端方向から見た斜視図である。図２は、照明装置１０を他端方向から見た斜視図である。図３は、図１中におけるＡ−Ａ線で切断した斜視図である。図４は、図１中におけるＢ−Ｂ線断面図である。図１から図４（図７、図９から図１１も同様）において、照明装置１０の長手方向が矢印Ｘで、短手方向または幅方向が矢印Ｙで、厚さ方向が矢印Ｚでそれぞれ示されている。各方向Ｘ，Ｙ，Ｚは互いに直交する方向である。
【００１１】
図１から図４に示すように、照明装置１０は、筐体１２と、一方端部（図１の右端部、図２の紙面の裏側端部）の外部コネクタ１４ａ及び他方端部（図１の左端部、図２の紙面の表側端部）の外部コネクタ１４ｂとを備える。筐体１２は、長手方向Ｘの一方側から見たときに扁平な長方形の側面形状を有する長尺筒状に形成されている。筐体１２は、カバー面１２ａと、底面１２ｂと、一対の側面１２ｃ，１２ｄとを有する。カバー面１２ａと底面１２ｂは互いに対向し、一対の側面１２ｃ，１２ｄは互いに対向する。
【００１２】
筒状をなす筐体１２は、長手方向両端部に開口をそれぞれ有する。一方端部の外部コネクタ１４ａは、長手方向一端部の開口を塞いだ状態で筐体１２に固定される。他方端部の外部コネクタ１４ｂは、長手方向他端部の開口を塞いだ状態で筐体１２に固定される。これにより、照明装置１０は、筐体１２と２つの外部コネクタ１４ａ，１４ｂとによって、扁平な直方体状に形成される。
【００１３】
図３に示すように照明装置１０はさらに、基板３１、基板３１上に配置された発光部３２、第１及び第２内部コネクタ３４，３５、長手方向Ｘの一方側及び他方側で２つずつのリード線３６、３７及びリード規制部材３９、４０（図７、図９参照）を備える。基板３１は、長尺状であり、筐体１２の長手方向Ｘに挿入することにより筐体１２内に収容される。第１及び第２内部コネクタ３４，３５は、基板３１上の長手方向Ｘの両端部の領域に接合により固定される。一方側のリード線３６（図３、図１１）は、一方端部の外部コネクタ１４ａと第１内部コネクタ３４とを電気的に接続する。他方側のリード線３７（図３、図７）は、他方端部の外部コネクタ１４ｂと第２内部コネクタ３５とを電気的に接続する。
【００１４】
一方側のリード規制部材３９（図９、図１１）は、基板３１上において、一方端部の外部コネクタ１４ａと第１内部コネクタ３４との間に固定され、一方側のリード線３６の位置を規制する。他方側のリード規制部材４０（図７、図９）は、基板３１上において、他方端部の外部コネクタ１４ｂと第２内部コネクタ３５との間に固定され、他方側のリード線３７の位置を規制する。これにより、第１及び第２内部コネクタ３４，３５における基板３１との接合部に加わる負荷を低減できる。以下、これを具体的に説明する。
【００１５】
図５は、一方端部の外部コネクタ１４ａの拡大斜視図である。図５に示すように、一方端部の外部コネクタ１４ａは、第１本体部１５と、第１本体部１５の中間部にフランジ状に形成された第１蓋部１６とを含む。第１本体部１５は、オス型外部コネクタである。第１本体部１５は、第１蓋部１６より一端側（図５の紙面の裏端側）に形成された断面矩形の柱状の挿入部１７と、挿入部１７の先端から突出した２本の金属ピン端子１８と、突起部１９とを有する。挿入部１７の幅方向一方側面（図５の右側面）には溝部１７ａが長手方向にわたって形成される。突起部１９は、第１本体部１５の他端（図５の紙面の表側端）の厚さ方向（図５の上下方向）一端から突出し、当該外部コネクタ１４ａの長手方向に対し傾斜している。突起部１９は、先端の幅方向中間部にＵ字形に内側に窪んだ凹部１９ａを有する。この凹部１９ａは、後述するように当該外部コネクタ１４ａに接続された２本のリード線３６（図１１参照）の位置を規制する。
【００１６】
第１蓋部１６は、矩形板状であり、後述のように筐体１２の長手方向一端部の開口を塞いだ状態で筐体１２に固定される（図１、図２参照）。
【００１７】
図６は、他方端部の外部コネクタ１４ｂの拡大斜視図である。図６に示すように、他方端部の外部コネクタ１４ｂは、第２本体部２０と、第２本体部２０の中間部にフランジ状に形成された第２蓋部２１とを含む。第２本体部２０は、メス型外部コネクタである。第２本体部２０は、一端（図６の紙面の表側端）側に形成された断面矩形状の有底の筒部２０ａと、筒部２０ａの底部に結合された断面矩形状の柱部２０ｂと、柱部２０ｂの他端（図６の紙面の裏側端）に形成された突起部２２とを有する。筒部２０ａの内周面は、断面矩形であり、その内周面の幅方向一方側面（図６の右側面）には、長手方向に沿って突部２３が伸びている。この突部２３は、一方端部の外部コネクタ１４ａ（図５）の溝部１７ａが嵌るものであり、他方端部の外部コネクタ１４ｂにおける筒部２０ａの内周面形状と、一方端部の外部コネクタ１４ａの挿入部１７の外周面形状とは略合致する。
【００１８】
他方端部の外部コネクタ１４ｂの柱部２０ｂには、長手方向に伸びる２つの孔（図示せず）が形成され、それぞれの孔内に金属筒状端子（図示せず）が配設されている。これにより、図５に示す一方端部の外部コネクタ１４ａの挿入部１７が他方端部の外部コネクタ１４ｂの筒部２０ａの内側に嵌合された状態で、一方端部の外部コネクタ１４ａの金属ピン端子１８が他方端部の外部コネクタ１４ｂの金属筒状端子に嵌合される。このため、図１、図２に示す照明装置１０を複数個、長手方向に並べて連結して使用することができる。
【００１９】
他方端部の外部コネクタ１４ｂの突起部２２は、柱部２０ｂの他端（図６の紙面の裏側端）の厚さ方向（図６の上下方向）一端から突出し、当該外部コネクタ１４ｂの長手方向に対し傾斜している。突起部２２は、先端の幅方向中間部にＵ字形に内側に窪んだ凹部２２ａを有する。この凹部２２ａは、後述するように当該外部コネクタ１４ｂに接続された２本のリード線３７（図７）の位置を規制する。
【００２０】
なお、筐体１２の一対の側面１２ｃ，１２ｄには、長手方向Ｘに伸びる溝（図示せず）を形成してもよい。このとき、各外部コネクタ１４ａ、１４ｂの蓋部１６，２１において、側面１２ｃ、１２ｄの溝と対向する位置にも溝を形成する。そして、壁面に皿ねじ等により固定された図示しない取付部材の上端及び下端のそれぞれに、断面Ｌ字形で平行な方向に伸びる２つのレール部を形成し、それぞれのレール部の先端に、筐体１２及び各蓋部１６，２１の溝部を係合させる。これにより、室内等の壁面に、取付部材を介して照明装置１０を固定することができる。なお、照明装置１０の設置場所は、壁面に限定されるものではなく、他の場所（例えば、天井等）に設置されてもよい。また、筐体１２、及び各蓋部１６，２１に溝部を形成しない場合において、壁面等に固定される取付部材には、筐体１２を挟んで保持する保持部を形成してもよい。その場合、その取付部材を介して、照明装置１０が壁面等に固定される。
【００２１】
再び図１及び図２を参照すると、筐体１２は、例えば、ポリカーボネート等の樹脂材料を押出成形することによって一体に形成できる。或いは、筐体１２は、複数の部材で構成されてもよい。具体的には、筐体１２は、カバー面１２ａを有する部分と一対の側面１２ｃ，１２ｄを有する部分とが一体に成形されてもよく、これと底面１２ｂを有する平板部分とが例えば接着、ネジ留め、嵌合等によって一体化されてもよい。或いは、筐体１２は、底面１２ｂを有する部分と一対の側面１２ｃ，１２ｄを有する部分とが一体に成形され、これとカバー面１２ａを有する平板部とが例えば接着、ネジ留め、嵌合等によって一体化されてもよい。
【００２２】
図４に示すように、筐体１２の内側面を構成し、側面１２ｄの裏側面である側面１２ｅと、側面１２ｃの裏側面である側面１２ｆとには、基板係止突部１２ｇが形成される。基板係止突部１２ｇは、側面１２ｅ、１２ｆのうち、底面１２ｂ側端部において、長手方向Ｘの略全長にわたって形成される。基板係止突部１２ｇの下側には、後述の光源モジュール３０の基板３１が係止される。また、筐体１２の内側面で底面１２ｂの裏側面である上面１２ｈ上には、係止板４１が固定される。
【００２３】
図７（ａ）は、図２中におけるＣ−Ｃ線断面図であり、図７（ｂ）は、図７（ａ）のＤ部拡大図である。係止板４１は、筐体１２の全長と略同じ全長を有し、平面視で矩形の板状である。係止板４１の長手方向他端部（図７の右端部）には、上方に突出し幅方向Ｙに伸びる突部４２が形成される。この突部４２は、後述の基板３１の移動を規制するストッパの機能を有する。基板３１は、係止板４１と上記の基板係止突部１２ｇ（図４）との間で、基板３１の両端部が係止された状態で長手方向Ｘにスライドして、筐体１２の内側に収容される。
【００２４】
また、筐体１２は、透光部と、遮光部とを有する。具体的には、実施形態の照明装置１０では、筐体１２のカバー面１２ａにおける幅方向約半分の第１部分１２ａ１が透光部である。
【００２５】
透光部は、内部に収容した基板３１上の発光部から発せられる光を拡散して外部に出射する拡散板として機能する。カバー面１２ａの第１部分１２ａ１は、筐体１２に収容される基板３１上において、発光部が配置された第１幅方向領域３８ａに対向する（図３及び図４参照）。透光部である第１部分１２ａ１は、筐体１２の全長にわたって伸びている。
【００２６】
他方、照明装置１０において、筐体１２のカバー面１２ａのうち残りの幅方向約半分の第２部分１２ａ２と、カバー面１２ａの幅方向両端に連なる側面１２ｃ、１２ｄとが遮光部として機能する。カバー面１２ａの第２部分１２ａ２は、基板３１上において、第１及び第２内部コネクタ３４，３５が配置された第２幅方向領域３８ｂに対向する（図３及び図４参照）。遮光部である第２部分１２ａ２及び側面１２ｃ、１２ｄは、長手方向Ｘに沿って延びている。図４では、筐体１２の断面のうち遮光部として機能する部分が点描部分で表されている。なお、筐体１２の底面１２ｂを有する部分、第１及び第２蓋部１６，２１も遮光部として機能する。第１部分１２ａ１と、この第１部分１２ａ１に連なる側面１２ｃとが、透光部であってもよい。
【００２７】
図３及び図４に示すように、筐体１２内には、光源モジュール３０が収容されている。光源モジュール３０は、筐体１２の上面１２ｈ上において、係止板４１を介して載置され、図示しない固定手段（例えば、クリップ、ネジ等）によって固定される。
【００２８】
光源モジュール３０は、長尺状の基板３１と、基板３１上において、幅方向中心（図９のＣＥ線）より一方側に片寄って配置された発光部３２を備える。基板３１は、平面視で長方形状の外形をなし、筐体１２と略等しい全長を有し、筐体１２よりも小さい幅を有する。
【００２９】
発光部３２は、複数の発光素子によって構成される。これらの発光素子には、例えば発光ダイオード（ＬＥＤ）が好適に用いられる。複数の発光素子は、長手方向Ｘに沿って等間隔で直線状に配置されている。このように複数の発光素子が配置される帯状領域が上記の第１幅方向領域３８ａとなっている。なお、発光部３２は、ＬＥＤ以外の発光素子、例えば、半導体レーザ素子等で構成されてもよい。
【００３０】
基板３１上において、幅方向中心（図９のＣＥ線）より他方側の位置には、２つのコンデンサ３３ａ，３３ｂと第１及び第２内部コネクタ３４，３５とが例えば半田付け等によって接合されて固定される。２つのコンデンサ３３ａ，３３ｂは、基板３１の長手方向の中央領域に配置される。第１内部コネクタ３４は、基板３１の長手方向の一方端部（図３の右端部）の領域に配置される。第２内部コネクタ３５は、基板３１の長手方向の他方端部（図３の左端部）の領域に配置される。基板３１上において、２つのコンデンサ３３ａ，３３ｂと第１及び第２内部コネクタ３４，３５とが配置されている帯状領域が上記の第２幅方向領域３８ｂとなっている。
【００３１】
光源モジュール３０において、第１及び第２内部コネクタ３４，３５は基板３１上に形成されたパターン配線（図示せず）を介して各発光素子に接続される。第１内部コネクタ３４は、一方端側の２本のリード線３６を介して一方端部の外部コネクタ１４ａに電気的に接続される（後述の図１１参照）。第２内部コネクタ３５は、他方端側の２本のリード線３７を介して他方端部の外部コネクタ１４ｂに電気的に接続される（後述の図７、図１１参照）。これにより、光源モジュール３０の発光部３２である複数の発光素子が照明装置１０の外部コネクタ１４ａ、１４ｂと電気的に接続される。また、外部コネクタ１４ａ、１４ｂ同士は、基板３１に形成されたパターン配線（図示せず）によって、発光部３２を介することなく、電気的に接続される。
【００３２】
さらに、後述の図９に示すように、基板３１上において、長手方向Ｘ一端部の領域には、一方端側（図９の右側）の２つのリード規制部材３９が固定される。基板３１上において、長手方向Ｘ他端部の領域には、他方端側（図９の左側）の２つのリード規制部材４０が固定される。各リード規制部材３９，４０の形状は、互いに同じであるので、以下、他方端側のリード規制部材４０の構成を中心に説明する。
【００３３】
図８は、図７の他方端側のリード規制部材４０を図７の左右方向一方側から見た図である。図９は、照明装置１０の分解斜視図である。他方端側のリード規制部材４０は、軸部４０ａと、軸部４０ａの上端に結合された円形のリング部４０ｂとを含む。リード規制部材は、例えば樹脂または金属等により形成される。図９に示すように、他方端側の２つのリード規制部材４０は、基板３１の長手方向他端縁（図９の左端縁）と第２内部コネクタ３５との間において、幅方向Ｙに並ぶように、基板３１上に固定される。この状態で、リード規制部材４０は、リング部４０ｂの孔が長手方向Ｘに向けられ、その孔は第２内部コネクタ３５に対向する。リード規制部材４０は、例えば、軸部４０ａの下端を、基板３１に形成された孔に差し込むことにより固定される。これにより、リード規制部材４０は、基板３１上において、他方端部の外部コネクタ１４ｂと第２内部コネクタ３５との間に固定される。軸部４０ａは、基板３１の孔に接着等により固定されてもよい。リング部４０ｂの内径は、他方側のリード線３７（図７）の外径より少し大きい。このリング部４０ｂに他方側のリード線３７の１つを挿通させることにより、そのリード線３７の位置が規制される。例えば、他方側のリード線３７のうち、第２内部コネクタ３５とリード規制部材４０との間の部分は、略長手方向Ｘに沿って配置される。一方、一方端側の２つのリード規制部材３９（図９）は、基板３１上において、一方端部の外部コネクタ１４ａと第１内部コネクタ３４との間に、第１内部コネクタ３４に対向するように固定される。上記の各リード規制部材３９，４０によって、後述のように、第１及び第２内部コネクタ３４，３５における基板３１との接合部に加わる負荷を低減できる。
【００３４】
図３に戻って示すように、各外部コネクタ１４ａ、１４ｂは、基板３１の幅方向中心より他方側（図３の上側）に寄った位置に設けられる。これにより、各外部コネクタ１４ａ、１４ｂが、光源モジュール３０を収容した筐体１２に組み付けられたときに、一方端部の外部コネクタ１４ａは照明装置１０の一端部に位置する第１内部コネクタ３４に対向する。また、他方端部の外部コネクタ１４ｂは照明装置１０の他端部に位置する第２内部コネクタ３５に対向する。
【００３５】
また、上記のように各外部コネクタ１４ａ、１４ｂには筐体１２の内部に向けて突出する突起部１９，２２が形成される。また、それぞれの突起部１９，２２の先端には凹部１９ａ、２２ａが形成される。図７に示すように、筐体１２に他方端部の外部コネクタ１４ｂが固定された状態で、突起部２２は、第２内部コネクタ３５とリード規制部材４０の上側に位置し、先端に向かうほど上側に傾斜する。他方側の２つのリード線３７は、他方端部の外部コネクタ１４ｂの先端から導出され、突起部２２の上側を通ってＳ字形に曲げられた状態で、下側部分がリード規制部材４０を挿通する。上記の凹部２２ａにより、リード線３７のうち、他方端部の外部コネクタ１４ｂ側の部分の位置が規制される。上記では他方端部の外部コネクタ１４ｂの突起部２２を説明したが、一方端部の外部コネクタ１４ａも同様に突起部１９の凹部１９ａ（図９）によってリード線の位置が規制される。
【００３６】
実施形態では、基板３１には、発光部３２に印加する電圧を調整するための電源回路が実装されていない。そのため、基板３１に実装される内部コネクタ３４，３５及び２つのコンデンサ３３ａ，３３ｂ以外の電気部品を少なくすることができ、照明装置１０の厚みを薄くして小型化することができる。
【００３７】
照明装置１０には、発光部３２を点灯発光させるための直流電圧が外部から供給される。より詳しくは、照明装置１０の一方端部にある外部コネクタ１４ａが外部の電源回路に接続されて、直流電圧が照明装置１０に供給される。そして、直流電圧は、外部コネクタ１４ａ、リード線３６、及び、基板３１上のパターン配線を介して、発光部３２を構成する各発光素子に印加される。これにより、各発光素子が点灯発光する。また、一方端部の外部コネクタ１４ａに供給された直流電圧は、基板３１のパターン配線を介して、他方端部の外部コネクタ１４ｂに供給される。これにより、複数の照明装置１０が連結された場合に、他方端部の外部コネクタ１４ｂに連結された別の照明装置１０にも直流電圧が供給されて、当該別の照明装置１０の発光部３２が点灯発光する。３以上の照明装置１０が連結されている場合も同様である。
【００３８】
また、複数の照明装置１０が連結された場合に、外部の電源回路と反対側の端に位置する照明装置１０の他方端部の外部コネクタ１４ｂは、照明装置１０の固定部分への取付のための係止部として機能させることができる。このとき、この他方端部の外部コネクタ１４ｂを、外部の金属部材にリード線等により電気的に接続して、外部コネクタ１４ｂにアース機能を持たせることもできる。また、照明装置１０は、１つのみが壁面等により設置されて使用されることもできる。
【００３９】
上記の実施形態では照明装置１０が電源回路を有しない場合について説明したが、これに限定されるものではなく、基板３１上の第２幅方向領域３８ｂに電源回路が実装されてもよい。この場合、外部コネクタ１４ａ（または１４ｂ）を介して供給された交流電圧が電源回路によって直流電圧に変換されて各発光素子に印加されることになる。また、１つの照明装置１０に供給された交流電圧が、外部コネクタ１４ａ（または１４ｂ）を介して別の照明装置１０に供給されることになる。
【００４０】
図４に示すように、筐体１２のカバー面１２ａには、遮光性の仕切板１３が設けられる。仕切板１３は、筐体１２のカバー面１２ａの遮光部分である第２部分１２ａ２と一体に形成可能である。仕切板１３は、筐体１２内の空間を、発光部３２が配置される第１幅方向領域３８ａに対応する第１空間Ｓ１と、第１及び第２内部コネクタ３４，３５が配置される第２幅方向領域３８ｂに対応する第２空間Ｓ２とに仕切っている。仕切板１３の先端部（図４中の下端部）は、隙間を空けて基板３１に対向している。仕切板１３の第１空間Ｓ１に対向する側面は、基板３１の垂線に対して例えば１５度〜３０度程度、傾斜した反射面となっている。これにより、発光部３２から出射した光を効率良く透光部であるカバー面１２ａの第１部分１２ａ１から外部に照射することができる。
【００４１】
図１０、図１１は、照明装置１０の組み立て方法を示している。図１０（ａ）は、一方端部の外部コネクタ１４ａと基板３１上の第１内部コネクタ３４とを結線する第１工程を示す断面図である。図１０（ｂ）は、筐体１２内に、長手方向一端から基板３１をスライドして挿入する第２工程を示す斜視図である。図１１（ａ）は、筐体１２の長手方向他端から基板３１を外側に出した状態で他方端部の外部コネクタ１４ｂを第２内部コネクタ３５に結線する第３工程を示す断面図である。図１１（ｂ）は、筐体１２の両端部に２つの外部コネクタ１４ａ、１４ｂを固定する第４工程を示す断面図である。なお、図１０、図１１は、図１から図３の方向に対して照明装置１０の左右の向きを逆にして見たものに対応する。
【００４２】
図１０（ａ）に示すように、２つの外部コネクタ１４ａ、１４ｂのうち、まず一方端部の外部コネクタ１４ａを、光源モジュール３０の基板３１に固定された２つの第１内部コネクタ３４に２本のリード線３６で結線する。このとき、リード線３６は、例えば一方端部の外部コネクタ１４ａに接続されたリード線３６を、リード規制部材３９に挿通して、第１内部コネクタ３４に例えば半田付等により接続する。
【００４３】
そして、図１０（ｂ）に示すように、筐体１２の長手方向一端の開口から基板３１を長手方向Ｘに挿入することによって、筐体１２内に基板３１とともに光源モジュール３０を収容する。このとき、基板３１は、係止板４１（図７）上に配置される。
【００４４】
次いで、図１１（ａ）に示すように、筐体１２の長手方向一端に一方端部の外部コネクタ１４ａを、ネジ止め、係合等により固定した状態で、筐体１２の長手方向他端の開口から基板３１の長手方向他端部を引き出す。この状態で、基板３１は、係止板４１の突部４２に長手方向他端縁が突き当たるので、係止板４１とともに引き出される。そして、その引き出した基板３１の端部に固定された２つの第２内部コネクタ３５に、他方端部の外部コネクタを２本のリード線３７で結線する。このとき、リード線３６は、例えば他方端部の外部コネクタ１４ｂに接続されたリード線３７を、リード規制部材４０に挿通して、第２内部コネクタ３５に例えば半田付等により接続する。この状態で、筐体１２に固定された一方端部の外部コネクタ１４ａと、第１内部コネクタ３４との距離は組み立て完成時より大きくなる。これにより、組み立て完成時における外部コネクタ１４ａと第１内部コネクタ３４との間隔よりリード線３６の長さを予め大きくしている。
【００４５】
次いで、図１１（ｂ）に示すように、筐体１２の長手方向他端から基板３１を、係止板４１とともに、長手方向Ｘに押し込んで、筐体１２の長手方向他端部に他方端部の外部コネクタ１４ｂをネジ止め、係合等により固定する。これにより、筐体１２の両端部に２つの外部コネクタが固定される。このため、照明装置１０の組み立てが完了する。
【００４６】
上述したように、実施形態の照明装置１０は、長尺状の基板３１と、基板３１上に配置された発光部３２と、長手方向の端部に開口を有し、基板３１を長手方向に挿入することにより収容する長尺筒状の筐体１２とを備える。また、照明装置１０は、基板３１上に接合により固定された内部コネクタ３４，３５と、筐体１２の長手方向の端部に固定された外部コネクタ１４ａ、１４ｂと、内部コネクタと外部コネクタとを電気的に接続するリード線３６，３７とを備える。また、照明装置１０は、基板３１上において、外部コネクタ１４ａ、１４ｂと内部コネクタ３４，３５との間に固定され、リード線３６，３７の位置を規制するリード規制部材３９，４０を備える。
【００４７】
この構成によれば、内部コネクタ３４，３５に対し、基板３１から離す方向の大きな力が加わらないように、リード規制部材３９，４０によりリード線３６，３７の位置を規制できる。このため、内部コネクタ３４，３５における基板３１との接合部に加わる負荷を低減できる。
【００４８】
また、上記の照明装置１０は、外部コネクタ１４ａ、１４ｂが、筐体１２の長手方向端部の開口を塞いだ状態で筐体１２に固定される蓋部１６，２１をそれぞれ有する。この構成によれば、外部コネクタと、筐体１２の開口を塞ぐ部材とを２部品に分ける必要がないので、部品点数及び組み付け工数の削減によるコスト低減を図りやすい。
【００４９】
また、上記の照明装置１０は、外部コネクタ１４ａ、１４ｂが、筐体１２の内部に向けて突出し、先端に凹部１９ａ、２２ａを有する突起部１９，２２を有する。また、凹部１９ａ、２２ａは、リード線３６，３７の位置を規制する。この構成によれば、リード線３６，３７の外部コネクタ側の部分が横揺れすることを防止でき、かつ、リード規制部材３９，４０に大きな負荷が加わることを抑制できるので、内部コネクタ３４，３５における基板３１との接合部に加わる負荷をより低減できる。なお、各外部コネクタ１４ａ、１４ｂの突起部１９，２２の先端には、凹部１９ａ、２２ａの代わりに、突起部１９，２２を貫通する孔部が形成されてもよい。この孔部にリード線を貫通させることにより、その孔部がリード線の位置を規制する。この構成によっても、凹部１９ａ、２２ａの場合と同様にリード線の外部コネクタ側の部分が横揺れすることを防止でき、かつ、リード規制部材に大きな負荷が加わることを抑制できる。
【００５０】
図１２は、照明装置の比較例において、図１１（ｂ）に対応する図である。図１２の比較例の照明装置１０ａでは、図１から図１１の実施形態と異なり、リード規制部材も外部コネクタの凹部を有する突起部も、いずれも設けていない。比較例において、その他の構成は、図１から図１１の構成と同様である。このような比較例の場合も、図１１の構成と同様に、例えば基板３１を筐体１２の他端（図１２の右端）から引き出して第２内部コネクタ３５にリード線３７を結線するために、一方端部の外部コネクタ１４ａに接続するリード線３６が長くなる場合がある。これにより、図１２に示すように、その長いリード線３６が中間部で撓んで、第１内部コネクタ３４の接続端付近で急激に折れ曲がる可能性がある。その場合には、第１内部コネクタ３４のＰ１で示す位置で矢印α方向に基板３１から離す方向に第１内部コネクタ３４に大きな負荷が加わる可能性がある。これにより、第１内部コネクタ３４と基板３１との半田付け等の接合部に大きな負荷が加わって耐久性が低下する可能性がある。また、他方側のリード線３７が長くなる場合に、そのリード線３７が撓んで第２内部コネクタ３５のＰ２で示す位置で、矢印β方向に基板３１から離す方向に第２内部コネクタ３５に大きな負荷が加わる可能性もある。上記の実施形態ではこのような不都合を防止できる。
【００５１】
図１３は、実施形態の別例におけるリード規制部材４３を示す図である。図１３に示すリード規制部材４３は、軸部４３ａの上端にリング部４３ｂが結合される。リング部４３ｂの一部には切欠４４が形成されてリング部４３ｂがＣ字形となっている。このようなリード規制部材４３によっても、リード線の位置を規制できる。例えば、リード線は、切欠４４を通じてリング部４３ｂの内側に押し込むことにより、リング部４３ｂにリード線を挿通させることができる。その他の構成及び作用は、図１から図１１の構成と同様である。なお、リード規制部材は、図８、図１３に示した形状に限定するものではなく、Ｕ字形、Ｌ字形等種々の形状に形成してもよい。
【００５２】
図１４は、実施形態の別例の照明装置１０ｂにおいて、図４に対応する図である。図１４の照明装置１０ｂは、図１から図１１の構成と異なり、各外部コネクタ１４ａには筐体１２の内部に向けて突出し先端に凹部を有する突起部が形成されていない。その代わりに各外部コネクタ１４ａから、筐体１２の内部に導出するリード線３６が、筐体１２の内側面のうち、光出射側の面である第一面Ｇ１により位置が規制されている。第一面Ｇ１は、カバー面１２ａの裏側の面である。これにより、リード線３６の横揺れ（図１４の左右方向の揺れ）が規制されるので、リード線３６がリード規制部材３９（図９等）により位置規制されることと相まって、リード線３６と内部コネクタ３４との接合部に加わる負荷を抑制できる。その他の構成及び作用は、図１から図１１の構成と同様である。
【００５３】
なお、図１４の構成において、二点鎖線のリード線３６で示すように、リード線３６を筐体１２の内側に位置し、第一面Ｇ１と交わる第二面により位置が規制される構成とすることもできる。例えば、第二面は、筐体１２の仕切板１３の側面、または、筐体１２の内側面のうち、幅方向Ｙに向く側面１２ｅとすることができる。上記の構成の場合には、リード線３６の縦揺れ（図１４の上下方向の揺れ）が規制されるので、リード線３６がリード規制部材により位置規制されることと相まって、リード線３６と内部コネクタ３４との接合部に加わる負荷を抑制できる。
【００５４】
なお、本開示に係る照明装置は、上述した実施形態及びその変形例に限定されるものではなく、本願の特許請求の範囲に記載された事項及びその均等な範囲内において種々の変更や改良が可能である。例えば、照明装置１０において、２つの外部コネクタのうち、他方端部の外部コネクタ１４ａを電源回路への接続側とすることもできる。また、一方端部の外部コネクタ１４ａに金属筒状端子を設けるとともに、他方端部の外部コネクタ１４ｂに金属ピン端子を設けることもできる。
【符号の説明】
【００５５】
１０，１０ａ，１０ｂ  照明装置、１２  筐体、１２ａ  カバー面、１２ａ１  第１部分（透光部）、１２ａ２  第２部分（遮光部）、１２ｂ  底面、１２ｂ  底面、１２ｃ，１２ｄ，１２ｅ，１２ｆ  側面、１２ｇ  基板係止突部、１３  仕切板、１４ａ，１４ｂ  外部コネクタ、１５  第１本体部、１６  第１蓋部、１７  挿入部、１７ａ  溝部、１８  金属ピン端子、１９  突起部、１９ａ  凹部、２０  第２本体部、２０ａ  筒部、２０ｂ  柱部、２１  第２蓋部、２２  突起部、２３  突部、２２ａ  凹部、３０  光源モジュール、３１  基板、３２  発光部、３３ａ，３３ｂ  コンデンサ、３４  第１内部コネクタ、３５  第２内部コネクタ、３６，３７  リード線、３８ａ  第１幅方向領域、３８ｂ  第２幅方向領域、３９，４０  リード規制部材、４０ａ  軸部、４０ｂ  リング部、４１  係止板、４２  突部、４３  リード規制部材、４３ａ  軸部、４３ｂ  リング部、４４  切欠。
【図１】
2018142490.tif 000003
【図２】
2018142490.tif 000004
【図３】
2018142490.tif 000005
【図４】
2018142490.tif 000006
【図５】
2018142490.tif 000007
【図６】
2018142490.tif 000008
【図７】
2018142490.tif 000009
【図８】
2018142490.tif 000010
【図９】
2018142490.tif 000011
【図１０】
2018142490.tif 000012
【図１１】
2018142490.tif 000013
【図１２】
2018142490.tif 000014
【図１３】
2018142490.tif 000015
【図１４】
2018142490.tif 000016